(57)【特許請求の範囲】
【請求項１】
広幅の帯状シートを複数の所要幅の帯状シートに分割するスリッターと、前記スリッターにより分割された帯状シートを回転駆動される夫々の巻芯のまわりに一斉に巻取るための、帯状シート長手方向に間隔をおいて配設した第１の巻取装置と第２の巻取装置とを備え、前記スリッターにより分割された複数の帯状シートを交互に第１の巻取装置と第２の巻取装置とへ供給して回転駆動される巻芯のまわりに巻取ることにより巻取ロールを形成することとし、前記第１の巻取装置及び第２の巻取装置の夫々を、前記巻芯の長手方向に位置替え可能に巻取基台に装着した、前記巻芯毎に一対になる複数の巻取アーム、並びに前記巻取アームの一対毎に設けた、前記巻芯が共通の中心軸線上に並ぶように該巻芯の両端を着脱可能に保持する巻芯チャック、及び前記巻取ロールに帯状シート巻取中に接触する、前記巻取ロール毎の又は各巻取ロールに共通のタッチローラを含むものとするシート分割巻取装置であって、巻取開始時に巻芯とタッチローラにより形成される谷の上方より該谷に接近離反可能に配設すると共に前記広幅の帯状シート全幅にわたって伸長した保持バー、及び前記保持バーに装着したシート押え板を備え、かつ前記保持バーを前記谷に接近させることによって、前記保持バーから前記谷の底へ向けて突き出た前記シート押え板の前縁部により前記帯状シートを前記タッチローラと前記巻芯との接点より上流寄りのタッチローラ外周面に押し付けて保持することができる、前記第１の巻取装置及び第２の巻取装置に夫々対応するように配設したシート仮保持機構と、前記シート押さえ板の前縁部によりタッチローラの外周面上に押付けて保持した帯状シートを、前記タッチローラと巻芯との接点より所定長さ下流側に寄った位置で幅方向に切断することができる、前記第１の巻取装置及び第２の巻取装置に夫々対応するように配設した切断機構と、前記一対の巻芯チャック間に夫々巻芯を供給することができる、前記巻取アームの一対毎に対応するように配設した巻芯供給機構とを備えたことを特徴とするシート分割巻取装置。
【請求項２】
前記シート押え板が、前記広幅の帯状シートの全幅に対応して伸長していることを特徴する請求項１に記載のシート分割巻取装置。
【請求項３】
前記切断機構のうち少なくとも片方が、広幅の帯状シートの全幅にわたりその幅方向に平行に延設された案内部材に沿って往復移動することができる、帯状シートを切断するためのナイフを備えており、前記案内部材が前記保持バーに設けてあることを特徴とする請求項１記載のシート分割巻取装置。
【請求項４】
新たな巻芯のタッチローラに対向する部分に接着剤を付与する接着剤付与機構を備えることを特徴とする請求項１若しくは請求項２又は請求項３に記載のシート分割巻取装置。
【請求項５】
前記第１の巻取装置及び第２の巻取装置に対応するように夫々配設した、前記巻芯チャックに装着した巻芯の、タッチローラに対向する部分に接着剤を付与する接着剤付与機構を備えることを特徴とする請求項１に記載のシート分割巻取装置。
【請求項６】
前記接着剤付与機構が、前記巻芯に接着剤を塗るための糊付頭及び該糊付頭に補給する接着剤を保有する糊付器と、前記糊付頭を前記巻芯の、タッチローラに対向する部分へ向けた状態で前記糊付器を前記巻芯に平行な軸線方向に案内する案内部材と、前記案内部材に沿って前記糊付器を往復移動させることができる往復移動駆動機構と、前記糊付頭をそれが前記巻芯に接触する進出位置と巻芯からの後退位置とに随時進出後退させることができる進退機構とを備えることを特徴とする請求項５に記載のシート分割巻取装置。
【請求項７】
前記第１の巻取装置及び第２の巻取装置に対応するように夫々配設した、前記巻芯チャックに装着した巻芯の、タッチローラに対向する部分に帯状シート先端接着用の接着剤を付与する接着剤付与機構を備え、前記接着剤付与機構が、前記巻芯に接着剤を塗るための糊付頭及び糊付頭に補給する接着剤を保有する糊付器と、前記糊付頭を前記巻芯の、タッチローラに対向する部分へ向けた状態で前記糊付器を前記巻芯に平行な軸線方向に案内する案内部材と、前記案内部材に沿って前記糊付器を往復移動させることができる往復移動駆動機構と、前記糊付頭を、前記巻芯に接触する進出位置と巻芯からの後退位置とに随時進出後退させる進退機構とを備え、前記接着剤付与機構のうちの少なくとも片方における前記案内部材が、前記保持バーに設けてあることを特徴とする請求項１記載のシート分割巻取装置。
【請求項８】
前記巻芯チャックに装着した巻芯の、タッチローラに対向する部分に、帯状シート先端接着用の接着剤を付与する接着剤付与機構を、前記第１の巻取装置及び第２の巻取装置に夫々対応するように備え、前記接着剤付与機構が、前記巻芯に接着剤を塗るための糊付頭及び糊付頭に補給する接着剤を保有する糊付器と、前記糊付頭を前記巻芯の、タッチローラに対向する部分へ向けた状態で前記糊付器を前記巻芯に平行な軸線方向に案内する案内部材と、前記案内部材に沿って前記糊付器を往復移動させることができる往復移動駆動機構と、  前記糊付頭を、前記巻芯に接触する進出位置と巻芯からの後退位置とに随時進出後退させる進退機構とを備え、前記切断機構のうちの少なくとも片方が、前記糊付器に装着した、帯状シートを切断するためのナイフからなることを特徴とする請求項１記載のシート分割巻取装置。
【請求項９】
前記シート仮保持機構により前記タッチローラ上に保持された帯状シートの、前記巻芯チャックに保持された巻芯に対向する部分に、夫々接着剤を噴射する接着剤付与機構を、前記第１の巻取装置及び第２の巻取装置に夫々対応するように備える請求項１に記載のシート分割巻取装置。
【請求項１０】
前記第１の巻取装置及び第２の巻取装置に夫々対応するように配設した前記シート仮保持機構のうちの少なくとも一つに代えて、複数の揺動腕を、巻芯に平行な軸線を中心に一斉に回動可能かつ当該揺動腕の先端部が、巻取開始時に巻芯とタッチローラにより形成される谷の上空より該谷に接近離反可能に配設し、前記揺動腕の先端部にシート押え板を該シート押え板の前縁部が前記谷の底に向けて突き出た状態で装着し、前記揺動腕を、該揺動腕の先端が前記谷に接近する方向に揺動することによって、前記シート押え板の前縁部により前記帯状シートを、前記タッチローラと前記巻芯との接点より上流寄りのタッチローラ外周面に押し付けて保持することができるシート仮保持機構を備える請求項１に記載のシート分割巻取装置。
【発明の詳細な説明】
【０００１】
【発明が属する技術分野】
本発明は、プラスチックフィルム、紙等の広幅の帯状シートをスリッターにより複数条の所要幅の帯状シートに分割しながら、分割された複数条の帯状シートを前後又は上下に並ぶ巻取装置に交互に供給し、各帯状シートを巻芯のまわりに巻取って巻取ロールを形成すると同時にタッチローラと巻取ロールと接触させながら巻取ロールを完成させるシート分割巻取装置に関する。
【０００２】
【従来の技術】
従来、上述のようなシート分割巻取装置には、分割された帯状シート幅に相当する長さの巻芯を保持するために、帯状シートを巻取る巻芯の長手方向に平行に伸びた間隔調整台沿いに位置替えできる一対の巻取アーム上に、巻芯の両端を着脱可能に保持する巻芯チャックを配設したものがある。このシート分割巻取装置では、普通、巻取ロールが完成すると、その巻取ロールとタッチローラとの間隔を開け、巻取ロールに繋がっている帯状シートを夫々タッチローラの下流で切断し、巻取ロールを下方に待機中のコンベア又は搬送台車の受取部で支えた後、巻取ロールを巻芯チャックから解放してコンベア又は台車により機外へ搬出し、代わりに新しい巻芯を巻芯チャックに装着して、新しい巻芯とタッチローラとを両者の間に帯状シートを挟んだ状態で接触させ、帯状シートの先端部を新しい巻芯に接着した後、巻取りを再開する。ところが、完成した巻取ロールに繋がっている帯状シートを切断したとき、その帯状シートの上流側切断端付近を夫々保持していないと、上流側の帯状シートは重力等による張力を受けて上流側へ引戻され、その帯状シートの先端がタッチローラ上から抜け落ちて垂れ下がり、垂れ下がった帯状シートを再びタッチローラ上へ引出す作業は非常に手間がかかることになる。そこで、従来のシート分割巻取装置では、帯状シートの切断後のタッチローラと巻取ロールとの接触点から法線方向に所定の距離を隔てると共に僅かに巻取ロール寄りに、シート幅方向に伸びた保持梁を固設し、この保持梁の帯状シートを挟んで反対側に、シート幅方向に伸びた寄せ掛け梁を設け、帯状シートを保持梁の下流で幅方向に切断するための刃物を保持梁沿いに走行可能に設けている（例えば特公平７−８０５９７号公報参照）。そして保持梁の、寄せ掛け梁による帯状シート押付け面に両面粘着テープを予め貼付しておき、巻取ロールに繋がっている帯状シートを切断するとき、寄せ掛け梁により帯状シートを保持梁に寄せ掛けて押し付け、その状態で刃物を走行させる。したがって、帯状シート切断後、上流側の帯状シート先端部は保持梁に粘着した状態で保持されている。
【０００３】
また、特公昭６３−２６０５３号公報に記載された分割巻取シート後尾の処理装置のように、タッチローラ自体に負圧吸引機構を備えたシート分割巻取装置も提案されている。このシート分割巻取装置では、切断装置で帯状シートを幅方向に切断した際に、上流側の帯状シートをタッチローラに吸引機構で吸引保持することにより、帯状シートの後端処理を効率的に行おうとするものである。
【０００４】
【発明が解決しようとする課題】
ところが、切断後の上流側の帯状シート先端部が保持梁に粘着した状態で保持される上述のシート分割巻取装置では、保持梁を巻取り操作の障害にならないようにタッチローラ及び巻取ロールから充分に離れた位置に設ける必要があるため、タッチローラと巻取ロールとの接触点から保持梁までの距離は大きくなる。そして帯状シートは、保持梁に沿って切断されるので、タッチローラから帯状シート切断位置までの長さが長くなりすぎる。それゆえ、巻取りを再開するために、巻芯をタッチローラに接触させて帯状シート先端を巻芯に止めるとき、作業者は、上流側の帯状シートの余分になった先端部を切除するか、或いは、帯状シートの先端部を巻芯に接着した後、巻芯をタッチローラから少し離して回転させることにより、帯状シートの先端の余分な部分を巻芯に巻付けなければならない。そして、この作業は手間がかかり、巻取装置の稼動率を低下させると云う欠点が存在した。
【０００５】
また、切断装置で帯状シートを幅方向に切断した際に、上流側の帯状シートをタッチローラに吸引機構で吸引保持する上述のシート分割巻取装置では、タッチローラに負圧吸引機能をもたせるためには、タッチローラを中空構造とし、その外周面に多数の吸引孔を設ける必要があり、その吸引孔が、高速で走行中の帯状シートに傷をつけたり局部的歪みを生じさせたりして巻取ロールを不良品にする原因となる。
【０００６】
また、前者及び後者において夫々巻取り再開のために新しい巻芯を巻取装置に装着するには、作業者がその都度各一対の巻芯チャック間に巻芯を夫々セットする必要があり、この作業に手間がかかりシート分割巻取装置の稼動率を低下させる。
【０００７】
本発明は上述のような問題点に鑑みてなされたもので、シート分割巻取装置において巻取ロールが巻上がってから次の巻取りを再開するまでの時間を短縮すると共に巻取再開のための準備作業を省力化することを目的とする。
【０００８】
【課題を解決するための手段】
本発明によるシート分割巻取装置は、巻取開始時に巻芯とタッチローラにより形成される谷の上方より該谷に接近離反可能に配設すると共に前記広幅の帯状シート全幅にわたって伸長した保持バー、及び前記保持バーに装着したシート押え板を備え、かつ前記保持バーを前記谷に接近させることによって、前記保持バーから前記谷の底へ向けて突き出た前記シート押え板の前縁部により前記帯状シートを前記タッチローラと前記巻芯との接点より上流寄りのタッチローラ外周面に押し付けて保持することができる、前記第１の巻取装置及び第２の巻取装置に夫々対応するように配設したシート仮保持機構と、前記シート押さえ板の前縁部によりタッチローラの外周面上に押付けて保持した帯状シートを、前記タッチローラと巻芯との接点より僅かに所定長さだけ下流側に寄った位置で幅方向に切断することができる、前記第１の巻取装置及び第２の巻取装置に夫々対応するように配設した切断機構と、前記一対の巻芯チャック間に夫々巻芯を供給することができる、前記巻取アームの一対毎に対応するように配設した巻芯供給機構とを備えたことを特徴とする。
【０００９】
【発明の実施の形態】
図面を参照して本発明の実施の形態について説明する。
【００１０】
図１は、本発明の一実施形態に係るシート分割巻取装置の概略正面図、図２は図１に示す切断線Ａ−Ａ沿いの断面を矢印Ｂ方向に見た断面図、図３は同シート分割巻取装置の概略平面図である。ここで、シート分割巻取装置は、広幅の帯状シートＳ０を複数の所要幅の帯状シートＳに分割するスリッター１と、このスリッター１により分割された複数の帯状シートＳを、回転駆動される夫々の巻芯Ｃのまわりに一斉に巻取るための、帯状シート長手方向に前後に並ぶ巻取装置２、３とを備え、スリッター１により分割された複数の帯状シートＳは、前側の巻取装置２と後側の巻取装置３とへ交互に供給される。
【００１１】
前側の巻取装置２及び後側の巻取装置３の夫々は、巻取基台４上に巻芯Ｃの長手方向に位置替え可能に装着した、巻芯Ｃ毎に一対になる複数対の巻取アーム５、６、並びに巻芯Ｃが共通の中心軸線上に並ぶように巻芯Ｃの両端を着脱可能に保持する、巻取アーム５、６の一対毎に設けた一対の巻芯チャック７、８を備えると共に、巻芯Ｃのまわりに巻取られた帯状シートＳにより形成された巻取ロールＲに接触するタッチローラ９を含んでいる。
【００１２】
このシート分割巻取装置では、巻芯チャック７、８で保持した巻芯Ｃ上で完成した巻取ロールＲに繋がる帯状シートＳをタッチローラ９の外周面上に保持することができるシート仮保持機構１０、１１を、前後の巻取装置２、３に個々に対応するように配設し、完成した巻取ロールＲに繋がっている帯状シートＳを、タッチローラ９と巻取ロールＲとの接点より僅かに下流側で幅方向に切断することができる切断機構１２、１３を、前後の巻取装置２、３に個々に対応するように配設し、完成した巻取ロールＲが取り外された一対の巻芯チヤック７、８間に新しい巻芯Ｃを供給することができる巻芯供給機構１４を巻取アーム５、６の一対毎にに設けている。
【００１３】
また、このシート分割巻取装置では、シート保持機構１０、１１により保持した帯状シートＳの先端を新しい巻芯Ｃに接着させるための接着剤を巻芯Ｃに付与する作業の省力化と時間短縮を図るために、巻芯チャック７、８に装着した巻芯Ｃの、タッチローラ９に対向する部分に、帯状シート先端接着用の接着剤を付与する接着剤付与機構１５、１６を、前後の巻取装置２、３に対応するように配設している。
【００１４】
広幅の帯状シートＳ０は、図示しない原反ロールから巻戻され、ガイドローラ１７、１８、１９を経て、外周面に円周方向の溝の付いたガイドローラ２０へ搬送される。
【００１５】
スリッター１は、切断刃Ｋを個々に保持した複数の刃物台２１を案内支持梁２２沿いに位置替えすることにより、切断刃Ｋによる分割位置を替え、広幅の帯状シートＳ０をガイドローラ２０上で２以上の同じ又は異なる幅の帯状シートＳに分割することができる公知のものである。
【００１６】
スリッター１により分割された帯状シートＳはガイドローラ２３、２４へ交互に振分けられ、ガイドローラ２３又は２４を経てタッチローラ９へ案内される。また広幅の帯状シートＳの化粧裁ちされた両耳Ｓａは図示しない耳巻取装置により巻取られる。
【００１７】
前後の巻取装置２、３は、互いに向き合うように配置されており、同様の構造で同様に作動するので、説明を簡単にするために、以下、前側の巻取装置２について説明する。
【００１８】
各巻芯チャック７、８は、例えば実開昭５２−６２７８４号公報、実用新案登録第２５５４８０３号公報等に開示されるように、巻取アーム５、６に対して巻芯Ｃの軸線方向に進出後退可能に装着され、その先端部分を巻芯Ｃの両端の中空部に嵌めた状態で巻芯Ｃを保持することができる公知のものである。そして保持した巻芯Ｃが共通の中心軸線上で一列になるように各巻取アーム５、６上に配置してある。
【００１９】
巻芯Ｃを図２の矢印Ａ１の方向に回転させて帯状シートＳを巻取るために、巻取アーム５に巻取モータ２５を取付け、この巻取モータ２５の回転駆動力を、図示しない伝動装置を介して片方の巻芯チャック７に伝達できるようにしてあり、巻芯チャック７には巻芯Ｃの空回りを防ぐための公知の巻芯把持機構が設けてある。分割された帯状シートＳの幅に応じた長さの巻芯Ｃを巻芯チャック７、８に装着できるようにするために、巻取アーム５、６の基部５ａ、６ａは、巻取基台４上をスライドすることができ、かつ所要の位置で巻取基台４に固定できるようになっている。
【００２０】
タッチローラ９は分割された帯状シートＳ毎に備えてあり、巻芯チヤック７、８に装着した巻芯Ｃに接触できるように、帯状シート幅方向に１列に配置され、個々のタッチローラ支持装置２６により支持されている。
【００２１】
巻取ロールＲの半径増大に応じてタッチローラ９と巻芯Ｃとの間隔を増大させるために、ここでは巻取基台４を、帯状シート長手方向に設けたレール２７にスライド可能に装着し、この巻取基台４をレール２７に沿って後退駆動することができる移動駆動機構２８を設けている。この移動駆動機構２８は、巻取基台４に固設したナットに螺合するネジ棒２９を正転、逆転駆動することにより、巻取基台４と共に巻芯Ｃをタッチローラ９に接近離反させることができる公知のものである（特公平７−８０５９７号公報参照）。
【００２２】
前後の巻取装置２、３において完成した巻取ロールＲを搬出するために、完成した巻取ロールの下方の空所に搬出機構３０、３１を設けている。搬出機構３０、３１はコンベア装置３０ａ、３１ａと、その昇降装置３０ｂ、３１ｂを備え、昇降装置３０ｂ、３１ｂはレール２７に沿って前後方向に移動可能になっている。
【００２３】
図４は、図２に示すタッチローラ支持装置２６並びに前側のシート仮保持機構１０及び切断機構１２、接着剤付与機構１５を説明するための、前側の巻取装置２のタッチローラ９より手前部分を取り除いて示した概略正面図、図５は、図２に示す前側のシート仮保持機構１５により帯状シートＳを仮保持した状態を示す側面図、図６は図２に示すシート仮保持装置１０により仮保持した帯状シートＳを切断した状態を示す説明図、図７は新しい巻芯Ｃを巻取開始位置につけて帯状シートＳの切断端に接着させた状態を示す説明図である。
【００２４】
タッチローラ支持装置２６は、タッチローラ９を巻芯Ｃへ押付け可能にそのタッチローラ９の両端部を保持する一対の保持腕３２と、この保持腕３２を支持する基台３３とからなる公知のものであり、基台３３を案内支持梁３４に、タッチローラ９の長手軸線方向に平行に移動して所要位置に固定できるように取付けてあるので、帯状シートＳの幅に相当する長さのタッチローラ９を帯状シートＳに対応する位置で支持することができる。タッチローラ９に巻取ロールＲへの押圧力を付与して両者の接触圧を正確に調節できるようにするために、保持腕３２を基台３３の腕部３３ａにピン３３ｂで回動可能に取付け、基台３３と保持腕３２との間に、保持腕３２に所要の回転力を付与する流体圧シリンダ装置３５を設けている。
【００２５】
シート仮保持機構１０は、図５に２点鎖線で示す巻取開始時の巻芯Ｃとタッチローラ９とにより形成される谷Ｖの上方から該谷Ｖに接近離反可能に配設した保持バー３６、及び保持バー３６に装着したシート押さえ板３７を備える。シート押さえ板３７は、タッチローラ９の長手方向に平行に伸長すると共に、その幅方向（図４では上下方向）における前縁が保持バー３６から谷底Ｖ０へ向けて突出している。保持バー３６は、巻取装置の帯状シート巻取領域の全幅つまり広幅の帯状シートＳ０の全幅に対応して伸長しており、シート押さえ板３７は広幅の帯状シートＳ０の全幅に相当する長さを有しているので、タッチローラ９の長さや巻取領域内でのタッチローラ９の配置に関係なく、完成した巻取ロールＲに繋がっている帯状シートＳを夫々のタッチローラ９上に一斉に保持できる。
【００２６】
シート押さえ板３７は、鋼製又はプラスチック製等の適度の弾力性のある、一つの板部材、又は保持バー３６に沿って隙間無く又は所定の隙間を開けて一列に並べた複数の板部材により構成してあり、その板部材の基部を保持バー３６にボルト３６ａにより固定してある。またシート押さえ板３７を構成する板部材の形状は図示のものに限らず、また前縁から後縁に向けて形成した、帯状シート幅方向に並ぶ多数のスリットを有するものでもよい。
【００２７】
保持バー３６は案内機構３８により、上述の谷Ｖの上方から谷Ｖに対して接近離反可能に案内されると共に、駆動機構３９により駆動されて図２に示す後退位置と図５に示す進出位置とに選択的に移動することができる。
【００２８】
シート押さえ板３７は、保持バー３６が進出位置に移動したとき、図６に示すようにタッチローラ９と巻芯Ｃとの接点Ｐより僅かに上流寄りのタッチローラ９の外周面に帯状シートＳを押し付けるように保持バー３６上に配置してある。切断機構１２により切断された帯状シートの先端部を巻芯Cに接着するのに適した状態に保持するには、シート押え板３７によるタッチローラ９の外周面の押圧部位を、シート押え板３７が完成した巻取ロール及び新しい巻芯に干渉しない範囲で、タッチローラ９と巻芯Ｃとの接点Ｐに極力近付けるのが望ましい。
【００２９】
図４において案内機構３８は、フレームＦに鉛直方向に固設した一対の案内筒４０と、各案内筒４０の内周面に夫々スライド可能に嵌め合わせた可動筒４１とからなり、可動筒４１の先端には保持バー３６を固着している。
【００３０】
駆動機構３９は、各可動筒４１に夫々螺合した一対のネジ棒４２と、一対のネジ棒４２を同期して正逆両方向に選択的に回転駆動することができるモータ４３とを備えている。モータ４３により一対のネジ棒４２を一方向に回転駆動すると可動筒４１が案内筒４０より進出し、逆方向に回転駆動すると可動筒４１が案内筒４０へ後退する。
【００３１】
切断機構１２は、広幅の帯状シートの全幅にわたりその幅方向に平行に伸びた案内部材４４に沿って往復移動することができる、帯状シートＳを切断するためのナイフ４５を備える。このナイフ４５は、案内部材４４に移動可能に装着した可動体４６に保持されており、可動体４６は往復駆動機構４７により駆動されて案内部材４４沿いに往復移動することができる。また、このナイフ４５は、帯状シートＳの切断端から巻取ロールＲとタッチローラとの接点までの距離が長くなり過ぎると、接着剤を付与した巻芯Ｃをタッチローラ９に接触させて巻取開始したとき帯状シートＳの先端部が折れた状態で巻芯Ｃに巻付くので、そのようにならないように、タッチローラと巻取ロールとの接点より僅かな所定長さだけ下流側に寄った位置で幅方向に切断できる位置に配置する。
【００３２】
切断機構１２を帯状シートの切断が可能な位置と巻取ロールから退避した位置とに移動する機構を簡素化すると共に切断機構１２の占有空間を小さくするために、案内部材４４は保持バー３６に固設してある。
【００３３】
往復駆動機構４７は、保持バー３６の両端付近に設けた一対のプーリ４８、４９と、一対のプーリ４８、４９に平行掛けすると共に、両端を可動体４６に連結したベルト５０と、片方のプーリ４８を正逆両方向に選択的に回転駆動することができるモータ５１とからなる。モータ５１は、帯状シート切断時に起動してプーリ４９を図４において反時計方向に回転駆動し、ナイフ１５を保持した可動体４６がプーリ４９に近い待機位置からプーリ４９の近くの移動限界まで移動すると、プーリ４８を時計方向に回転駆動し、可動体４６が待機位置に復帰すると回転駆動を停止する。
【００３４】
帯状シートＳの先端部を巻芯Ｃに接着するための接着剤を巻芯Ｃに付与する場合、巻芯Ｃの外周面に一端から他端まで全長にわたって所定幅で接着剤を塗布すると、余分な接着剤が巻芯長手方向に食み出して巻取中に巻取ロールＲの端面に付着し易く、接着剤が端面に付着した巻取ロールＲは不良品となる。また巻芯Ｃの長手方向に部分的に接着剤を付与すると、たとえば薄くて伸び易いプラスチックフィルムのような変形し易い帯状シートを巻取る場合には、帯状シートの巻芯への接着部分に巻取張力が集中して帯状シートにしわが生じて不良品となる。そこで、図２に示す接着剤付与機構１５、１６を、上述のような問題を生じないように接着剤を巻芯Ｃに付与することができるものにしている。
【００３５】
図８は、図２に示す接着剤付与機構１５の説明図である。この接着剤付与機構１５は、巻芯Ｃに接着剤Ｇを塗るための糊付頭５２及びこの糊付頭５２に補給する接着剤を保有する糊付器５３と、糊付頭５２を巻芯Ｃの、タッチローラ９に対向する部分へ向けた状態で糊付器５３を巻芯Ｃに平行な軸線方向に案内する案内部材５４と、この案内部材５４に沿って糊付器５３を往復移動させることができる往復駆動機構５５と、糊付頭５２をそれが巻芯Ｃに接触する進出位置と巻芯Ｃからの後退位置とに進出後退させる進退機構５６とを備える。
【００３６】
案内部材５４は広幅の帯状シートＳ０の全幅に対応するように伸びており、往復駆動機構５５は、図４に示す切断機構１２において可動体４６を往復駆動する往復駆動機構４７と同様に構成してあり、糊付器５３は、図５に示すように案内部材５４にスライド可能に装着した可動体５７に取り付けてある。ここでは、案内部材５４は、それを帯状シートの巻取りの障害にならない位置に退避可能にするために、図５に示すように保持バー３６の、帯状シートＳを挟んで反対側に昇降可能に設けた糊付器用支持バー５８に固設してある。図４に示すように糊付器用支持バー５８の両端部は、機枠Ｆに設けたレール５９にスライド可能に装着した一対の可動支持体６０により保持されており、可動支持体６０は、それを昇降駆動するための流体圧シリンダ装置６１のピストンロッド６１ａの先端に連結してあり、流体圧シリンダ装置６１のシリンダの端部は機枠Ｆに連結してある。
【００３７】
流体圧シリンダ装置６１は、図９に示すように新しい巻芯Ｃを装着した巻取アーム５、６が前進して接着剤付与位置についたとき、糊付頭５２が巻芯Ｃの接着剤付与箇所に向き合う糊付位置にくるまで、糊付器用支持バー５８を、図５に示す退避位置から上昇させ、巻芯Ｃに接着剤を付与した後は糊付器用支持バー５８を再び退避位置に下降させる。
【００３８】
なお、必要に応じて、糊付器用支持バー５８を図５に示す退避位置に固設し、糊付器５３を可動体５７に、糊付頭５２が図９に示す巻芯Ｃの接着剤付与箇所に向き合うように取付けるようにしてもよい。
【００３９】
図１０は糊付器の正面図、図１１は同じく平面図、図１２は図１０における切断線Ｄ−Ｄ沿いの断面を矢印Ｅ方向に見た断面図である。糊付頭５２は、塗布用ローラ６２と、この塗布用ローラ６２の外周面に容器６３の中の接着剤Ｇを供給するための無端ベルト６４とからなる。容器６３には、例えば酢酸ビニル系の糊、澱粉糊等の液体状の接着剤Ｇ又は適当な粘稠液を溜めておく。無端ベルト６４は塗布用ローラ６２と、容器６３内に接着剤Ｇに浸るように配置した案内プーリ６５とに掛けてある。
【００４０】
塗布用ローラ６２が巻芯Ｃの表面上をその巻芯長手方向に転がることができるようにするために、塗布用ローラ６２の中心軸線は、巻芯Ｃの中心から、巻芯Ｃの外周面の接着剤付与部分を通って半径方向に伸びた軸線に対して直角又はほぼ直角に向ける。ここでは、巻芯Ｃのタッチローラとの接点は、巻芯Ｃの中心を通る水平線上にあるので、また塗布用ローラ６２は容器６３より高い位置にあるので、図１１に示すように塗布用ローラ６２を支持する支持部材６６をかぎ形に形成し、その支持部材６６の水平方向に伸びた部分の先端付近の上面に塗布用ローラ６２を回転自在に装着し、支持部材６６の下方へ伸びた部分の背面の下端付近に案内プーリ６５を回転自在に装着し、支持部材６６の曲がり角付近の左右側面に中間プーリ６７、６８を回転自在に装着し、この中間プーリ６７、６８に無端ベルト６４を掛け、かぎ形の支持部材６６に沿って無端ベルト６４が循環するようにしてある。
【００４１】
糊付器５３は進退機構５６を含んでいる。この進退機構５６は、糊付頭５２を保持する可動腕６９と、この可動腕６９を動かすための流体圧シリンダ装置７０とからなる。可動腕６９は、糊付器５３の基台７１に固設した軸部材７２にそれを中心に回動可能に装着してあり、糊付頭５２を装着した支持部材６６は可動腕６９の一端に固着してある。流体圧シリンダ装置７０のシリンダ７０ｂは基台７１にブラケット７０ｃを介して固着し、ピストンロッド７０ａは公知の連結器７０ｄにより可動腕６９の他の一端に連結してある。そして、基台７１に取付けた切換え弁７３を経て供給される圧力流体によって作動する。
【００４２】
この糊付器５３を、図４に示す往復駆動機構５５により案内部材５４沿いに走行させながら、図１１に示すように進退機構５６により糊付頭５２を実線で示す進出位置につけると、糊付頭５２が巻芯Ｃへ押付けられて、塗布用ローラ６２の外周面に付着している接着剤が巻芯Ｃに塗布されると共に、巻芯Ｃと糊付頭５２との摩擦力により塗布用ローラ６２が回転して無端ベルト６４が循環し、容器６３内の接着剤Ｇが無端ベルト６４により塗布用ローラ６２の外周面に連続的に供給される。
【００４３】
待機位置で待機中の塗布用ローラ６２の外周面に付着している接着剤が乾いていても、糊付器５３が最初の巻芯Ｃへの糊付開始位置に到達する前に塗布用ローラ６２に容器６３の中の新しい接着剤Ｇが糊付頭５２の巻芯Ｃとの接触部分に供給されるようにするために、図４及び図１２に示すように、糊付器２の待機位置付近の所定位置に、塗布用ローラ６２を回転させるための所定長さの係合体７４を設けるとよい。この係合体７４は、その基部７８ａを糊付器用支持バー５８に固着し、糊付器５３の走行に支障のないように形成してある。塗布用ローラ６２が係合体７４を通過するとき進退機構５６を進出作動させることにより、塗布用ローラ６２が係合体７４に係合して回転し、それによって容器６３内の新しい接着剤Ｇが塗布ローラ６２に供給される。
【００４４】
図８は、広幅の帯状シートＳ０をスリッター１により４条の帯状シートＳ１、Ｓ２、Ｓ３、Ｓ４に分割する場合に、接着剤付与機構１５により巻芯Ｃ１、Ｃ３に接着剤Ｇを付与した状態を示す。接着剤付与機構１５は、糊付器５３が保持バー５８に沿って走行しているとき、糊付頭５２が前側の各巻芯Ｃ１、Ｃ３の糊付開始位置Ｌ１ａ、Ｌ３ａに達すると糊付頭５２が進出位置へ進出し、前側の各巻芯Ｃの糊付停止位置Ｌ１ｂ、Ｌ３ｂに達すると糊付頭Ｃが進出位置から後退するように進退機構５６を作動させる制御装置７５を備えている。この制御装置７５は小型コンピュータからなり、予めスリッター１の刃物Ｋの自動位置決め制御装置７６から受け取った帯状シート分割位置Ｌ１、Ｌ２、Ｌ３、Ｌ４、及び入力装置７５ａから入力した接着剤の非付与長さＬａ、Ｌｂに基づき糊付開始位置Ｌ１ａ、Ｌ３ａ、糊付停止位置Ｌ１ｂ、Ｌ３ｂを演算して記憶しておく。そして接着剤付与中に、パルス発生器７７から、糊付器５３の移動に応じて一定の微小移動距離毎に発生するパルス信号、及びセンサ７８から、移動する糊付頭５２を基準位置において検知しとき発生する検知信号を受けて糊付頭５２の基準点Ｐからの現在位置を時々刻々検出し、記憶した糊付開始位置並びに糊付停止位置と、検出した糊付頭２の現在位置を時々刻々比較して、検出した糊付頭５２の現在位置が、記憶した糊付開始位置Ｌ１ａ、Ｌ３ａに等しくなると糊付頭５２が進出位置に進出するように、また、検出した糊付頭５２の現在位置が糊付停止位置Ｌ１ｂ、Ｌ３ｂに等しくなると糊付頭５２が進出位置から後退するように、図１１に示す切換え弁７３を切換えて流体圧シリンダ７０を作動させる。
【００４５】
往復駆動機構５５は、糊付器５３が待機位置から巻取装置２の巻取領域の全幅に対応して走行すると、再び糊付器５３を待機位置に復帰させる。このとき糊付頭５２は後退位置につけ、進退機構５６は作動しないようにしておく。
【００４６】
図１３は巻芯供給機構の概略背面図、図１５は樋状保持腕の平面図、図１４は樋状保持腕の側面図である。巻芯供給機構１４は、一対の巻取アーム５、６の夫々に回動可能に取付けた一対になる樋状保持腕８１、８２と、樋状保持腕８１、８２に、巻芯供給姿勢及び退避姿勢を選択的にとらせることができる、巻取アーム５に取付けた揺動駆動機構８３、９３とを備えている。図１８に示す樋状保持腕８１は巻芯供給姿勢をとっており、図１示す樋状保持腕８１は退避姿勢をとっている。巻芯Ｃが重力により後戻りしないようにするために、揺動駆動機構８３は、樋状保持腕８１を先下がりの姿勢つまり先端に行くほど低くなる姿勢の範囲内で揺動駆動する。
【００４７】
図１３は、片方の樋状保持腕の側面図である。一対になる樋状保持腕８１、８２は勝手違いに形成されているので、片方の樋状保持腕８１について説明する。樋状保持腕８１は、新しい巻芯Ｃの端面に対向する底部８４の両縁部から夫々巻芯Ｃの長手方向に所定の高さで突出した前側壁８５及び後側壁８６と、後側壁８６の下端から前側へ突出した下側壁８７と、前側壁８５の下部に設けた巻芯出口８８と、底部８４の下部に前側から後側へ向けて設けた、巻芯チャックの挿通用並びに脱出用の切欠き８９と、巻芯チャックで保持していない最下端の巻芯Ｃの巻芯出口８８からの脱落を、最下端の巻芯Ｃの巻芯出口８８への通路内に進出することにより阻止し、巻芯チヤックで保持した最下端の巻芯Ｃの巻芯出口８８からの脱出を、最下端の巻芯Ｃの巻芯出口８８への通路から後退することにより可能にする巻芯脱落阻止体９０とを備える。
【００４８】
前側壁８５と後側壁８６との相互間隔を巻芯Ｃの直径より僅かに大きくし、前側壁８５と後側壁８６との間に巻芯Ｃの端部を挿入して案内できるようにしてあるので、樋状保持腕８１は複数の巻芯Ｃを前側壁８５、後側壁８６に沿って移動可能に保持することができる。
【００４９】
樋状保持腕８１を巻芯Ｃに平行な軸線を中心に回動可能に取付けるために、巻取アーム５に設けたブラケット５ｂに、支持軸９１を回転可能に装着し、この支持軸９１の一端に樋状保持腕８１の底部８４を固着している。また樋状保持腕８１が巻芯供給姿勢をとったとき最下端の巻芯Ｃが巻芯チャック７と同心に配置されるようにするために、巻芯出口８８から支持軸９１までの距離を巻取ロールＲの半径より大きくしている。そして一対の巻取アーム５、６に取付けた一対の樋状保持腕８１の底面の相互間隔は、所要の巻芯Ｃの長さに相当する間隔より少し大き目にする。
【００５０】
揺動駆動機構８３は、流体圧シリンダ装置からなり、シリンダの本体の後端を巻取アーム５に設けたブラケット５ｃに連結し、ピストンロッドの先端部を樋状保持腕８１に連結してある。
【００５１】
巻芯脱落阻止体９０は図示のように形成した適当なバネ係数の板バネからなり、下側壁８７に形成した孔９２から巻芯出口８８の通路へ先端部を突出させ、後端部をボルト９０ａで下側壁８７の下面に固定している。したがって巻芯脱落阻止体９０は巻芯Ｃの巻芯出口８８への通路に弾力的に進出しており、巻芯Ｃの脱落を阻止することができる。
【００５２】
この巻芯供給機構１４では、一対の樋状保持腕８１、８２間に随時に複数の巻芯を補給することができ、また、巻芯の長さに応じて相互間隔を変える一対の巻取アーム５、６に一対の樋状保持腕８１、８２を取り付けており、スリッター１による帯状シート分割位置が変更されても、分割された帯状シートを巻取る巻芯Ｃはその帯状シート幅に相当する長さのものが用いられるので、一対の樋状保持腕８１、８２の相互間隔が巻取アーム５、６の位置替えに伴い自動的に調節される。それゆえ巻芯供給機構の取り扱いや、巻芯供給機構への巻芯の補給が容易である。
【００５３】
図２において、ガイドローラ２３を出た帯状シートＳは左側のタッチローラ９の上側外周面に巻掛けられ、ガイドローラ２４を出た帯状シートＳは右側のタッチローラ９の下側外周面に巻掛けられる。そのため、後側のシート仮保持機構１１及び切断機構１３は、前側のシート仮保持機構１０及び切断機構１２に対して上下逆向きに配置されている。なお、後側のシート仮保持機構１１では、保持バー３６が、巻取開始時の巻芯Ｃとタッチローラ９とにより形成される上下二つの谷のうち下側の逆向きの谷に向き合うように、その逆向きの谷に対して絶対的な下方に配置されているが、この場合も、保持バー３６は谷の上方に配置されていると解釈することにする。
【００５４】
図１６は後側のシート仮保持機構、切断機構、及び接着剤付与機構について説明するための、後側の巻取装置を省略して示すシート分割巻取装置の概略背面図、図１７は、後側のシート仮保持機構により帯状シートを仮保持した状態を示す概略側面図である。
【００５５】
後側のシート仮保持装置１１では、シート押さえ板３４を保持した保持バー３６の両端付近を、一対のレール５９にスライド可能に装着した可動支持体６０よって支持し、各可動支持体６０に夫々設けたメネジに螺合する一対のネジ棒９３をモータ９４により同期して正逆両方向に選択的に回転駆動できるようにしてあるため、保持バー３６は、前側のシート仮保持機構１０の保持バー３６と同様に作動することができ、シート仮保持機構１１は、前側のシート仮保持機構１０と同様にシート押さえ板３７で帯状シートＳをタッチローラ９上に保持することができる。
【００５６】
後側の接着剤付与機構１６は、前側の接着剤付与機構１５と同様な構造で、同様な動作をする。糊付頭５２を巻芯Ｃの、タッチローラ９に対向する部分へ向けた状態で糊付器５３を巻芯Ｃに平行な軸線方向に案内する案内部材５４は、保持バー３６に設けてある。また案内部材５４に沿って糊付器５３を往復移動させるために、往復駆動機構５５も保持バー３６に設けてある。
【００５７】
後側の切断機構１３は、切断用支持バー９５に設けた案内部材４４に沿って往復移動することができる、帯状シート切断用のナイフ４５を備えている。切断用支持バー９５は、フレームＦに設けた一対の案内機構９６により鉛直方向に支持案内され、駆動機構９７により駆動されることにより昇降して、図２に示す退避位置から、図１７に示す切断位置に移動することができる。案内機構９６は切断用支持バー９５に一端を固着した可動筒４１と、可動筒４１の外周にスライド可能に嵌めフレームＦに固着した案内筒４０とからなり、駆動機構９７は可動筒の他の一端を押し引きする流体圧シリンダ装置からなる。
【００５８】
次に、以上のように構成されたシート分割巻取装置において巻取ロールが完成して再び巻取りを開始するまでの巻取再開準備動作について説明する。
【００５９】
図２に示すように、帯状シートＳの巻取中には前後のシート仮保持機構１０、１１のシート押え板３７は夫々退避位置につき、前後の切断機構１２、１３、接着剤付与機構１５、１６も退避位置につき、各巻芯供給機構１４は退避姿勢をとっている。また図４及び１９に示すように、切断機構１２のナイフ４５は案内部材４４の一端付近の待機位置につき、糊付器５３は案内部材５４の一端付近の待機位置についている。また巻芯供給機構１４に新たな巻芯Ｃがストックされていない場合は、一対の樋状保持腕８１、８２の前側壁８５と後側壁８６の間に、その上端のから巻芯Ｃを水平な姿勢で挿入して一対の樋状保持腕８１、８２に巻芯Ｃを装着しておく。
【００６０】
巻取装置２、３で巻取ロールＲが完成して巻取りが停止すると、夫々移動駆動機構２８が後退方向に作動し、巻取アーム５、６が巻取基台４と共に所定距離を後退し、図４、図１７に示すようにタッチローラ９と巻取ロールＲとの間が開く。その後、シート仮保持機構１０、１１の夫々の駆動機構３９が前進方向に作動して保持バー３６、３６が図５、図１７に示す進出位置に移動する。また切断用支持バー９５の駆動機構９７が前進方向に作動して、前後のナイフ４５、４５が切断位置に進出すると共に、前側の糊付器用支持バー５８を移動するための流体圧シリンダ装置６１が引き上げ方向に作動して糊付器用支持バー５８が図９に示す糊付位置につく。また巻取ロールの搬出機構３０、３１のコンベア装置３０ａ、３１ａがレール２７に沿って昇降装置３０ｂ、３１ｂと共に巻取ロールＲの真下に移動し、昇降装置３０ｂ、３１ｂが作動してコンベア装置３０ａ、３１ａが上昇し巻取ロールＲを受け取り可能な位置につく。
【００６１】
前側のシート仮保持機構１０では、進出位置に移動した保持バー３６上のシート押さえ板３７が、図６に示すように、その先端部３７ａで帯状シートＳをタッチローラ９と巻取ロールＲとの接点Ｐより僅かに上流寄りのタッチローラ９の外周面に押付けて一斉に保持する。このときシート押さえ板３７は僅かに撓んで帯状シートＳを弾力的に押圧することができ、多少の取付け誤差や加工誤差等があっても確実に帯状シートを保持することができる。シート仮保持機構１０による帯状シートＳの保持は、図７に示すように新しい巻芯Ｃが巻取開始位置につくまで維持される。また後側のシート仮保持機構１１では、そのシート押え板３７が前側のシート仮保持機構１０におけるシート押え板３７と上下逆向きになるが、前側のシート仮保持機構１１と同様に帯状シートＳを保持する。
【００６２】
図５及び図１７に示すように巻取装置２、３上の各巻取ロールＲに繋がっている帯状シートＳが夫々タッチローラ９上に保持されると、切断機構１２、１３の往復駆動機構４７が夫々作動してナイフ４５が図４及び図１６示す待機位置から案内部材４４沿いに走行し、このナイフ４５により各帯状シートＳが切断される。帯状シートＳの切断後、ナイフ４５は待機位置に復帰する。
【００６３】
切断機構１２、１３により帯状シートＳが切断されると、巻取装置２では巻芯チャック７、８を中心軸線方向に後退させることが可能になる。そして巻芯チャック７、８を後退させて巻芯Ｃから抜くと、巻取ロールＲがコンベア装置３０ａ、３０ｂ上に解放される。その後、前後の巻取装置２、３において移動駆動機構２８が夫々作動して巻取アーム５、６が巻取基台４と共に後退限まで後退する。図１８は前側の巻取装置２の巻取アーム５、６が後退限に移動した状態を示す。この巻取アーム５、６の後退が終わると、コンベア装置３０ａ、３１ａが作動して巻取ロールＲを機側に搬出すると共に、巻芯供給機構１４の揺動駆動機構８３が一斉に前進方向に作動して樋状保持腕８１、８２が図１８に示すように巻芯供給姿勢をとり、それによって、樋状保持腕８１、８２の下端の巻芯Ｃは、後退した一対の巻芯チャック７、８間に同心に配置される。その後、巻芯チャック７、８が進出して、供給された新たな巻芯Ｃを保持する。搬出機構３０、３１は巻取ロールの搬出が終わるとレール２７に沿ってタッチローラ９の下方の空間へ移動して待機する。
【００６４】
巻芯チャック７、８が巻芯Ｃを保持すると、揺動駆動機構８３が一斉に復帰方向に作動し、一対の樋状保持腕８１、８２は復帰方向に旋回して退避姿勢をとる。樋状保持腕８１、８２が復帰方向に旋回し始めると、巻芯チャック７、８で保持した新しい巻芯Ｃは巻芯出口８８に向けて移動し、板バネからなる巻芯脱落阻止体９０を押し下げ、巻芯出口８８を通って樋状保持腕８１、８２から脱出する。
【００６５】
巻芯チャック７、８への巻芯Ｃの装着が完了すると、前後の巻取装置２、３では移動駆動機構２８が夫々前進方向に作動し、各一対の巻取アーム５、６が巻取基台４と共に前進し、それが接着剤付与位置に達すると移動駆動機構２８の作動が停止する。図９は前側の各一対の巻取アーム５、６が接着剤付与位置まで前進した状態を示し、このときタッチローラ９と巻芯チャックに装着した巻芯Ｃとの間には糊付器５３が走行するための空間ができている。前後の巻取装置２、３の各一対の巻取アーム５、６が接着剤付与位置につくと、接着剤付与機構１５、１６が作動して各巻芯Ｃのタッチローラ９に対向する部分に接着剤Ｇが付与される。
【００６６】
巻芯Ｃへの接着剤Ｇの付与が終わって糊付器５３が待機位置に戻ると、前後の巻取装置２、３の移動駆動機構２８が夫々再び前進方向に作動して各一対の巻取アーム５、６及び巻芯Ｃが巻取開始位置につき、巻芯チャック７、８で保持した新しい巻芯Ｃが図７に示すようにタッチローラ９上に保持されている帯状シートＳの先端部に押し付けられ、帯状シートＳの先端部が巻芯Ｃ上の接着剤Ｇによって巻芯Ｃに接着される。
【００６７】
帯状シートＳの先端が巻芯Ｃに接着されると、図４、図１６に示す駆動機構３９が後退方向に作動して保持バー３６と共にシート押さえ板３７が後退位置に復帰し、また流体圧シリンダ装置６１が押し下げ作動して糊付器用支持バー５８が退避位置に復帰し、また、駆動機構９７が引き上げ作動して切断用支持バー９５が退避位置に復帰して巻取再開準備が終了する。その後巻取りを再開すると巻芯Ｃが一斉に回転し、その回転する巻芯Ｃのまわりに帯状シートＳの先端部が巻き付き帯状シートＳが巻取られる。
【００６８】
図１９は本発明の他の実施形態に係るシート分割巻取装置の図２に相当する側面図、図２０は、図１９に示すシート分割巻取装置に用いる巻芯供給機構及び接着剤付与装置の背面図である。このシート分割巻取装置では、シート仮保持機構１０、１１は、夫々シート押さえ板３７を保持した保持バー３６備え、切断機構１２、１３は、帯状シートＳを挟んで保持バー３６の反対側に配設した切断用支持バー９５に沿って、広幅の帯状シートＳ０の全幅にわたりその幅方向に平行に往復移動することができる帯状シート切断用のナイフ４５を備えている。巻芯供給機構１４の樋状保持腕８１、８２の支持軸９１は巻取アーム５、６に直接取付けてある。接着剤付与機構１００は、各一対の巻取アーム５、６毎に設けてあり、夫々巻取アーム５、６に設けたブラケット１０１に取付けた、それ自体は公知の接着剤を噴射できる糊付器５３Ａからなり、この糊付器５３Ａにより、退避姿勢の樋状保持腕８１、８２の下端に位置する巻芯Ｃの外周面に糊付頭５２Ａより接着剤を噴射して付与することができる。この糊付器５３Ａは、巻芯供給機構１４により巻芯チャックに巻芯Ｃを装着したとき、その巻芯Ｃがタッチローラ９に対向する部分に接着剤を噴射できるように糊付頭５２Ａを配置してあり、噴射バルブ操作用のアクチュエータ１０２を備え、このアクチュエータ１０２を作動させたときだけバルブが開き接着剤を噴射することができるように構成してある。この場合、巻芯Ｃを巻芯チャックに装着すると、移動駆動機構２８により巻取アーム５を途中で停めることなく巻取開始位置までに移動して巻芯Ｃを帯状シートＳの先端部に押し付けて接着させることができる。
【００６９】
図２１、図２２は本発明の更に他の実施態様にかかるシート分割巻取装置を示す。このシート分割巻取装置では、タッチローラ９はガイドローラ群を支持する一対のフレームＦの固定位置に回転可能に装着してあり、各巻取装置２、３毎に巻取ロールＲに対して共通になっている。一対の巻取アーム５、６は、巻取中に巻芯Ｃをタッチローラ９へ所要の押圧力で押付け可能にするために、一対の巻取チャック７、８を設けた腕部５ｂ、６ｂと、腕部５ｂ、６ｂをピン１０３で回動可能に支持する基部５ａ、６ａとからなり、基部５ａ、６ａと腕部５ｂ、６ｂとの間に設けた流体圧シリンダ装置３５、３５により腕部５ｂ、６ｂに回動力を付与することができるよう構成されている。また、前側のシート仮保持機構１０は、巻芯Ｃに平行な軸線を中心に一斉に揺動可能な複数の揺動腕１０４を備える。この複数の揺動腕１０４は、両端をフレームに回転可能に支持された回動軸１０５に夫々固設してあり、この揺動腕の先の端部が巻取開始時に巻芯Ｃとタッチローラ９により形成される谷Ｖの上空より該谷Ｖに接近離反できるように配置してあり、回動軸１０５の両端付近に設けたレバー１０６を流体圧シリンダ装置１０７により押し引き駆動することにより揺動できるようになっている。揺動腕１０４の先端にはシート押え板３７が装着してあり、シート押え板３７の前縁は谷底Ｖ０に向けて突き出ている。そして流体圧シリンダ装置１０７により揺動腕１０４をその先端部が谷Ｖに接近する方向に旋回させることにより、シート押え板３７の前縁部により帯状シートＳをタッチローラ９と巻芯Ｃとの接点より上流寄りのタッチローラ９の外周面に押し付けて保持することができる。接着剤付与機構１０、１１は、上述の接着剤付与機構１０、１１と同じように構成してあり、切断機構１２、１３は、その構造を簡素化し占有空間を小さくするために、帯状シート切断用のナイフ４５を糊付器５３に装着して構成してあり、ナイフ４５を装着するためのホルダー４５ａは糊付器５３の基部に固設してある。また、巻芯供給機構１４は、複数の巻芯Ｃを並列に該巻芯Ｃの両端において保持することができる一対の樋状保持腕１０８を、一対の巻取アーム５、６の夫々にその樋状保持腕１０８の下端を巻芯チャックに向けてスライド運動可能に装着し、流体圧シリンダ装置１０９により、樋状保持腕１０８の下端に位置する巻芯Cが巻芯チャックに同心となる巻芯供給位置と退避位置とに移動することができ、巻芯Ｃを巻芯チャック７で保持した後は、樋状保持腕１０８の下端の巻芯出口から巻芯Cが脱出するよう構成してある。
【００７０】
本発明では、必要に応じて、図８に示す接着剤付与機構１５に替えて、図２３に示すようにシート仮保持機構２１によりタッチローラ９上に保持された帯状シートＳの、巻芯チャック５に装着した巻芯Ｃに対向する部分に、接着剤を噴射することができる接着剤付与機構１５Ｂを備えてもよい。図２３に示す接着剤付与機構１５Ｂは、図８に示す糊付器５３を、容器６３に溜めた接着剤をノズル５２Ｂから随時噴射することができる公知の糊付器５３Ｂに取り替えると共に、糊付器５３Ｂのノズル５２Ｂを、タッチローラ９上に保持された帯状シートＳの、巻芯チャック５に装着した巻芯Ｃに対向する部分へ向けている。そしてノズル５２Ｂから接着剤を噴射させたり噴射を停止したりできる弁装置１１１を、図８に示す制御装置７５により開閉操作する。また、図８に示す糊付器５３を、接着剤をノズルから巻芯Ｃのタッチローラに対向する部分に向けて随時噴射することができる公知の糊付器５３Ｂに取り替えてもよい。この場合、ノズルから接着剤を噴射させたり噴射を停止したりできる弁装置を、図８に示す制御装置７５により開閉操作するようにするとよい。また、糊付頭を自動的に接着剤が補給される多孔質部材、刷毛で構成してもよい。また切断機構は帯状シート幅方向に張設した電熱線を備えるもの等公知の切断機構を用いてもよい。
【００７１】
【発明の効果】
本発明のシート分割巻取装置によれば、切断機構は巻芯を傷つけることなく帯状シートを切断することができ、しかも切断した上流側の帯状シートの先端部の長さを、再度の切断作業が不要な適度の長さとすることができ、シート仮保持機構は上流側の帯状シートを、その先端部がタッチローラ外周面の巻芯との接点に被さるように保持することができる。それゆえ、巻取装置に装着した新しい巻芯の、タッチローラに対向する部分、又はシート仮保持機構によりタッチローラ上に保持された帯状シートの、巻取装置に装着した新しい巻芯に対向する部分に接着剤を付与しておけば、巻取開始時に、巻取装置に装着した新しい巻芯とタッチローラとが上流側の帯状シートの先端部を挟圧し、上流側の帯状シートの先端部が新しい巻芯に接着し、巻取を開始すれば帯状シートの先端部が巻芯に自動的に巻付く。そのため、従来、分割された帯状シート毎に手作業で行っていた帯状シート先端部の巻芯への接着又は巻付け作業が不要になり、帯状シート先端の巻付け不良に起因する歩留低下も防ぐことができる。また巻芯供給機構により複数の新しい巻芯をほぼ同時に各巻芯チャックに供給して装着することが可能になり、複数の巻芯に夫々帯状シートの先端部を一斉に接着させることができるので、帯状シート先端部の巻芯への接着工程が短時間で終了し、シート分割巻取装置の巻取停止時間が短縮される。更に、シート押さえ板は、保持する帯状シートの剛性や厚みが多岐にわっても、その帯状シート先端部を確実に保持できるので、シート分割巻取装置において、多様な厚みや材質の帯状シートを巻取ることができる。またシート押え板は、帯状シートの巻芯に接着される先端部付近を保持し、その部分は最終的には破棄されるので巻取中に帯状シートに傷をつけることもない。更に、保持バーは、広幅の帯状シート全幅にわたって伸長しているので、複数の板部材を保持バーに沿って装着してシート押さえ板を構成することができ、広幅の帯状シートの幅が広い場合でも、広幅の帯状シートの全幅に対応して伸長したシート押さえ板を得ることが容易になる。
【００７２】
また、シート押え板が広幅の帯状シートの全幅に対応して伸長していることにより、スリッターによる分割幅の変更に伴い分割された帯状シートの幅や位置に関係無く、巻取装置毎に複数の帯状シートを一斉に保持できるたけでなく、保持バーの案内機構や駆動機構が簡素化され、駆動機構の制御も簡単になる。
【００７３】
したがって、多数条に帯状シートを分割して巻取るシート分割巻取装置において、巻取ロールが完成してから次の巻取りを再開するまでの時間を大幅に短縮することができ、稼動率を向上させることができる。また巻取準備作業に個人差がないので、準備作業の不備に起因する歩留の低下を防ぐこともできる。
【００７４】
また、巻芯のタッチローラに対向する部分に接着剤を付与する接着剤付与機構を備えることにより、新しい巻芯への接着剤付与作業が省力化され、巻取ロールが完成してから巻取りを再開するまでの作業を全自動化することができるようになり、更に生産性の向上を図ることができる。
【００７５】
また、接着剤付与機構を、巻芯に接着剤を塗るための糊付頭及び糊付頭に補給する接着剤を保有する糊付器と、糊付頭を巻芯チャックに装着した巻芯の、タッチローラに対向する部分へ向けた状態で糊付器を巻芯に平行な軸線方向に案内する案内部材と、この案内部材に沿って糊付器を往復移動させることができる往復移動駆動機構と、糊付頭をそれが巻芯に接触する進出位置と巻芯からの後退位置とに随時進出後退させることができる進退機構とを備えるものとすることにより、巻芯チャックに装着した巻芯の外周面のタッチローラに対向する部分に、その巻芯両端付近を残してほぼ全長に接着剤を自動的に短時間で付与することができるようになる。そのため、帯状シートが薄くて伸び易いものであっても巻初めのシワの発生を防ぐことができる。また帯状シート幅より巻芯長さが長くても、また巻芯長さに誤差があっても巻芯の適正な位置に適正な長さだけ接着剤を付与でき、接着剤が帯状シートからはみ出して巻取ロール端面等に付着し、その巻取ロールが不良品となるのを防ぐことができる。また巻取ロールから再び巻戻した帯状シートを巻芯から剥がし易くなり、巻芯を再利用する場合に都合が良い。また、巻取装置に装着した巻芯に接着剤を付与するので巻芯上の所定位置に正確に接着剤を付与でき、接着剤を付与してから短時間で巻芯に帯状シート先端部を接着することができるため、接着剤が比較的乾き易いものであって確実な接着が得られる。
【図面の簡単な説明】
【図１】本発明に係るシート分割巻取装置の概略正面図である。
【図２】図１に示す切断線Ａ−Ａ沿いの断面を矢印Ｂ方向に見た断面図である。
【図３】本発明に係るシート分割巻取装置の概略平面図である。
【図４】前側の巻取装置を省略して示したシート分割巻取装置の概略正面図である。
【図５】シート仮保持機構が帯状シートを仮保持した状態を示す側面図である。
【図６】シート仮保持機構が仮保持した帯状シートを切断した状態を示す説明図である。
【図７】接着剤を付与した巻芯を巻取開始位置に配置した状態を示す説明図である。
【図８】本発明に係るシート分割巻取装置に用いる接着剤付与機構の説明図である。
【図９】前側の接着剤付与機構の糊付器が巻芯に接着剤を付与可能な位置に配置された状態を示す説明図である。
【図１０】糊付器の正面図である。
【図１１】糊付器の平面図である。
【図１２】図１０における切断線Ｄ−Ｄ沿いの断面を矢印Ｅ方向に見た断面図である。
【図１３】本発明に係るシート分割巻取装置に用いる巻芯供給機構の背面図である。
【図１４】図１３に示す樋状揺動腕の側面図である。
【図１５】図１３に示す樋状揺動腕の平面図である。
【図１６】後側の巻取装置を省略して示したシート分割巻取装置の概略背面図である。
【図１７】後側のシート仮保持機構により帯状シートを仮保持した状態を示す概略側面図である。
【図１８】樋状揺動腕が巻芯供給姿勢をとった状態を示す概略側面図である。
【図１９】本発明の他の実施形態に係るシート分割巻取装置の概略側面図である。
【図２０】図１９に示すシート分割巻取装置に備えた巻芯供給機構及び接着剤付与機構の背面図である。
【図２１】本発明の他の実施形態に係るシート分割巻取装置の概略側面図である。
【図２２】本発明の他の実施形態に係るシート分割巻取装置の概略平面図である。
【図２３】本発明に係るシート分割巻取装置に用いる帯状シート先端部への接着剤付与機構を示す概略側面図である。
【符号の説明】
Ｓ０  広幅の帯状シート
Ｓ  帯状シート
Ｃ  巻芯
Ｒ  巻取ロール
Ｇ  接着剤
１  スリッター
２  前側の巻取装置
３  後側の巻取装置
４  巻取基台
５  巻取アーム
６  巻取アーム
７  巻芯チャック
８  巻芯チャック
９  タッチローラ
１０  シート仮保持機構
１１  シート仮保持機構
１２  切断機構
１３  切断機構
１４  巻芯供給機構
１５  接着剤付与機構
１６  接着剤付与機構
２８  移動駆動機構
３６  保持バー
３７  シート押さえ板
３８  案内機構
３９  駆動機構
４４  案内部材
４５  ナイフ
４６  可動体
４７  往復駆動機構
５２  糊付頭
５３  糊付器
５４  案内部材
５５  往復駆動機構
５６  進退機構
５８  糊付用支持バー
６２  塗布用ローラ
６３  容器
６４  ベルト
６９  可動腕
７０  流体圧シリンダ装置
７５  制御装置
８１  樋状保持腕
８２  樋状保持腕
８３  揺動駆動機構
９０  脱落阻止体
９１  支持軸
９４  モータ
９５  切断用支持バー
９６  案内機構
９７  駆動機構
１００  接着剤付与機構
１０４  揺動腕
１０５  回動軸
１０７  流体圧シリンダ装置
【図１】
0004096770.tif 000002
【図２】
0004096770.tif 000003
【図３】
0004096770.tif 000004
【図４】
0004096770.tif 000005
【図５】
0004096770.tif 000006
【図６】
0004096770.tif 000007
【図７】
0004096770.tif 000008
【図８】
0004096770.tif 000009
【図９】
0004096770.tif 000010
【図１０】
0004096770.tif 000011
【図１１】
0004096770.tif 000012
【図１２】
0004096770.tif 000013
【図１３】
0004096770.tif 000014
【図１４】
0004096770.tif 000015
【図１５】
0004096770.tif 000016
【図１６】
0004096770.tif 000017
【図１７】
0004096770.tif 000018
【図１８】
0004096770.tif 000019
【図１９】
0004096770.tif 000020
【図２０】
0004096770.tif 000021
【図２１】
0004096770.tif 000022
【図２２】
0004096770.tif 000023
【図２３】
0004096770.tif 000024